(57)【要約】【課題】小型で、掃除性能に優れた回転ロータを提供する。【解決手段】回転自在のロータ３０と、塵埃を掻き上げる清掃体３２とからなり、ロータ３０は、略放射状に突出すると共に、先端側側部にかつ長手方向に清掃体３２の一端が装着される清掃体取着部３０ａと、同じく略放射状に突出すると共に清掃体３２の反回転方向側に位置し、ロータ３０が回転した時に清掃体３２の反回転方向側を受けるリブ体３０ｂを有するもので、ロータ３０が回転した時に、清掃体３２の反回転方向側がリブ体３０ｂで受けられてこしが強くなるので、被掃除面の磨き効果及び清掃効果が向上する。又、清掃体取着部３０ａやリブ体３０ｂが突出して形成されているので、吸引される吸い込み風を効率よく受け、回転ロータ１６の回転トルクが大きくなると共に、清掃体取着部３０ａの回転によって塵埃が巻き上げられるので、掃除性能が向上する。【選択図】図２
2007202673.tif 000002
【特許請求の範囲】
【請求項１】
掃除機用床吸込具に回転自在に取着されるロータと、被掃除面の塵埃を掻き上げる清掃体とからなり、前記ロータは、略放射状に突出すると共に、先端側側部にかつ長手方向に前記清掃体の一端が装着される清掃体取着部と、同じく略放射状に突出すると共に前記清掃体の反回転方向側に位置し、前記ロータが回転した時に前記清掃体の反回転方向側を受けるリブ体を有することを特徴とする回転ロータ。
【請求項２】
清掃体取着部又は／及びリブ体の断面を、風を受ける側が窪むように湾曲形状とした請求項１に記載の回転ロータ。
【請求項３】
掃除機用床吸込具に回転自在に取着されると共に断面略Ｓ字状のロータと、前記ロータの端部にかつ長手方向に形成された清掃体取着部に一端が装着されると共に被掃除面の塵埃を掻き上げる清掃体とからなり、前記ロータが回転した時に前記清掃体の反回転方向側を受ける突出部を、前記ロータ断面における前記清掃体取着部と前記ロータの回転中心との間に配したことを特徴とする回転ロータ。
【請求項４】
ロータを金属材料で形成した請求項１〜３のいずれか１項に記載の回転ロータ。
【請求項５】
請求項１〜４のいずれか１項に記載の回転ロータを備えた掃除機用床吸込具。
【請求項６】
回転ロータを回転駆動する駆動手段を備えた請求項５に記載の掃除機用床吸込具。
【請求項７】
電動送風機と、請求項５又は６に記載の掃除機用床吸込具とを備えた電気掃除機。
【発明の詳細な説明】
【技術分野】
【０００１】
本発明は、回転して被掃除面の塵埃を掻き上げる回転ロータと、その回転ロータを組み込んだ掃除機用床吸込具と、その掃除機用床吸込具と連結される電気掃除機に関するものである。
【背景技術】
【０００２】
従来のこの種の回転ロータについて、図１０、図１１を用いて説明する。図１０は、従来の回転ロータを収納した掃除機用床吸込具の上カバーを外した状態の斜視図、図１１（ａ）は、同回転ロータの側面図である。
【０００３】
図１０及び１１（ａ）において、従来の回転ロータ１は、外形断面形状が略円形で掃除機用床吸込具２に回転自在に取着されたロータ３と、ロータ３の外周に設けた螺旋状の溝部３ａに一端が装着されると共に被掃除面の塵埃を掻き上げるブラシ状清掃体４ａやブレード状清掃体４ｂから構成され、ベルト５を介して掃除機用床吸込具２に内蔵された電動機などの駆動手段６で回転駆動されるようになっている。
【０００４】
上記構成により、図示しない電気掃除機を運転し、掃除機用床吸込具２に内蔵された駆動手段６を運転すると、回転ロータ１が回転し、ブラシ状清掃体４ａやブレード状清掃体４ｂで床などの被掃除面上の塵埃が掻き上げられ、その掻き上げられた塵埃は、掃除機用床吸込具２の底面に設けた開口部７より流入し、吸引通路８を経て、図示しない電気掃除機に吸引されるようになっている（例えば、特許文献１参照）。
【０００５】
しかしながら、上記従来の回転ロータ１のブラシ状清掃体４ａやブレード状清掃体４ｂは、単に、ロータ３に放射状に装着されただけなので、こしが弱く、回転ロータ１を回転させたときに、被掃除面を軽くなでるだけで、掃除性能は決してよくなかった。こしの強いブラシ状清掃体４ａにするために、剛性の強いブラシ毛或いは、太いブラシ毛でブラシ状清掃体４ａを形成することも可能だが、それでは、ブラシ毛の先端で被掃除面に傷をつけるという問題があり有効ではなかった。
【０００６】
そこで、上記問題を解決するために、図１１（ｂ）に示すように、ロータ３の外周面で、かつ反回転方向側に、すなわち清掃体４の後方に凸部３ｂを形成し、ロータ３が矢印方向に回転したときに、凸部３ｂで清掃体４の反回転方向側を受けて、清掃体４のこしを強くするようにしたものが考案されている（例えば、特許文献２参照）。
【特許文献１】特開２００５−２１１４０３号公報
【特許文献２】実願平２−１７０３８号（実開平４−３４８号）のマイクロフイルム
【発明の開示】
【発明が解決しようとする課題】
【０００７】
しかしながら、図１１（ｂ）に示すような従来の回転ロータ１の構成では、清掃体４をロータ３に略放射状に植設するようにしているため、清掃体４の植設寸法Ｐを確保すると共に、ロータ３の強度確保の観点から、ロータ３の中心Ｃと清掃体４の下端との間Ｇを所定の距離確保する必要があった。このため、ロータ３の外径寸法を小さくすることができず、掃除機用床吸込具２の薄型化を図るのが困難になるという課題があった。
【０００８】
本発明は、上記従来の課題を解決するもので、簡単な構成で、小型で、掃除性能に優れた回転ロータ、掃除機用床吸込具及び電気掃除機を提供する事を目的とする。
【課題を解決するための手段】
【０００９】
前記従来の課題を解決するために、本発明の回転ロータは、掃除機用床吸込具に回転自在に取着されるロータと、被掃除面の塵埃を掻き上げる清掃体とからなり、前記ロータは、略放射状に突出すると共に、先端側側部にかつ長手方向に前記清掃体の一端が装着される清掃体取着部と、同じく略放射状に突出すると共に前記清掃体の反回転方向側に位置し、前記ロータが回転した時に前記清掃体の反回転方向側を受けるリブ体を有するもので、ロータが回転した時に、清掃体の反回転方向側がリブ体で受けられるので、清掃体のこしが強くなり、被掃除面の磨き効果及び清掃効果が向上する。
【００１０】
また、清掃体取着部やリブ体が突出して形成されているので、掃除機用床吸込具内に吸引される吸い込み風を効率よく受け、回転ロータの回転トルクが大きくなると共に、清掃体取着部の回転によって塵埃が巻き上げられるので、掃除性能が向上する。さらに、清掃体の一端を清掃体取着部の先端側側部に装着するようにしているので、清掃体の装着側端部とロータの中心との距離の確保が容易になるので、その分ロータの外径寸法を小さくすることができ、掃除機用床吸込具の小型化を図ることができる。
【００１１】
また、本発明の回転ロータは、掃除機用床吸込具に回転自在に取着されると共に断面略Ｓ字状のロータと、前記ロータの端部にかつ長手方向に形成された清掃体取着部に一端が装着されると共に被掃除面の塵埃を掻き上げる清掃体とからなり、前記ロータが回転した時に前記清掃体の反回転方向側を受ける突出部を、前記ロータ断面における前記清掃体取着部と前記ロータの回転中心との間に配したもので、ロータが回転した時に、清掃体の反回転方向側が突出部で受けられるので、清掃体のこしが強くなり、被掃除面の磨き効果及び清掃効果が向上する。
【００１２】
また、ロータの断面が略Ｓ状に形成されているので、掃除機用床吸込具内に吸引される吸い込み風が効率よく、しかも無駄なくロータで受けられ、回転ロータの回転トルクが大きくなると共に、ロータの回転によって塵埃が巻き上げられるので、掃除性能が向上する。さらに、清掃体の一端を、略Ｓ字状のロータの端部に設けた清掃体取着部に装着するようにしているので、清掃体の一端とロータの中心との距離の確保が容易になるので、その分ロータの外径寸法を小さくすることができ、掃除機用床吸込具の小型化を図ることができる。
【００１３】
また、本発明の掃除機用床吸込具は、請求項１〜４のいずれか１項に記載の回転ロータを備えたもので、こしの強い清掃体と、清掃体取着部、リブ体で巻き起こされる風、さらに清掃体取着部、リブ体に吹き付けられる吸引風による回転トルクの増大で、優れた掃除性能を発揮することができる。
【００１４】
本発明の電気掃除機は、電動送風機と、請求項５又は６に記載の掃除機用床吸込具とを備えたもので、こしの強い清掃体と、清掃体取着部、リブ体で巻き起こされる風、さらに清掃体取着部、リブ体に吹き付けられる吸引風による回転トルクの増大で、優れた掃除性能を発揮することができる。
【発明の効果】
【００１５】
本発明の回転ロータ、掃除機用床吸込具及び電気掃除機は、簡単な構成で、小型で、掃除性能に優れたものである。
【発明を実施するための最良の形態】
【００１６】
第１の発明は、掃除機用床吸込具に回転自在に取着されるロータと、被掃除面の塵埃を掻き上げる清掃体とからなり、前記ロータは、略放射状に突出すると共に、先端側側部にかつ長手方向に前記清掃体の一端が装着される清掃体取着部と、同じく略放射状に突出すると共に前記清掃体の反回転方向側に位置し、前記ロータが回転した時に前記清掃体の反回転方向側を受けるリブ体を有するもので、ロータが回転した時に、清掃体の反回転方向側がリブ体で受けられるので、清掃体のこしが強くなり、被掃除面の磨き効果及び清掃効果が向上する。
【００１７】
また、清掃体取着部やリブ体が突出して形成されているので、掃除機用床吸込具内に吸引される吸い込み風を効率よく受け、回転ロータの回転トルクが大きくなると共に、清掃体取着部の回転によって塵埃が巻き上げられるので、掃除性能が向上する。さらに、清掃体の一端を清掃体取着部の先端側側部に装着するようにしているので、清掃体の装着側端部とロータの中心との距離の確保が容易になるので、その分ロータの外径寸法を小さくすることができ、掃除機用床吸込具の小型化を図ることができる。
【００１８】
第２の発明は、特に、第１の発明の清掃体取着部又は／及びリブ体の断面を、風を受ける側が窪むように湾曲形状としたもので、清掃体取着部やリブ体で、吸い込み風をより効率よく受けるようになり、ロータの回転トルクがより大きくなり、掃除性能が大幅に向上する。
【００１９】
第３の発明は、掃除機用床吸込具に回転自在に取着されると共に断面略Ｓ字状のロータと、前記ロータの端部にかつ長手方向に形成された清掃体取着部に一端が装着されると共に被掃除面の塵埃を掻き上げる清掃体とからなり、前記ロータが回転した時に前記清掃体の反回転方向側を受ける突出部を、前記ロータ断面における前記清掃体取着部と前記ロータの回転中心との間に配したもので、ロータが回転した時に、清掃体の反回転方向側が突出部で受けられるので、清掃体のこしが強くなり、被掃除面の磨き効果及び清掃効果が向上する。
【００２０】
また、ロータの断面が略Ｓ状に形成されているので、掃除機用床吸込具内に吸引される吸い込み風が効率よく、しかも無駄なくロータで受けられ、回転ロータの回転トルクが大きくなると共に、ロータの回転によって塵埃が巻き上げられるので、掃除性能が向上する。さらに、清掃体の一端を、略Ｓ字状のロータの端部に設けた清掃体取着部に装着するようにしているので、清掃体の一端とロータの中心との距離の確保が容易になるので、その分ロータの外径寸法を小さくすることができ、掃除機用床吸込具の小型化を図ることができる。
【００２１】
第４の発明は、請求項１〜３のいずれか一つの発明のロータを金属材料で形成したもので、ロータに、清掃体取着部やリブ体が突出されて形成されても、十分な強度が確保され、回転ロータが掃除機用床吸込具に組み込まれて高速で回転しても、何ら支障なく、使用できる。
【００２２】
第５の発明は、請求項１〜４のいずれか１項に記載の回転ロータを備えた掃除機用床吸込具としたもので、こしの強い清掃体と、清掃体取着部、リブ体で巻き起こされる風、さらに清掃体取着部、リブ体に吹き付けられる吸引風による回転トルクの増大で、優れた掃除性能を発揮することができる。
【００２３】
第６の発明は、特に、第５の発明の回転ロータを回転駆動する駆動手段を備えたもので、絨毯面や多少の凹凸がある被掃除面であっても、回転ロータの回転が著しく低下することなく確実に、掃除を行うことができる。
【００２４】
第７の発明は、電動送風機と、請求項５又は６に記載の掃除機用床吸込具とを備えた電気掃除機としたもので、こしの強い清掃体と、清掃体取着部、リブ体で巻き起こされる風、さらに清掃体取着部、リブ体に吹き付けられる吸引風による回転トルクの増大で、優れた掃除性能を発揮することができる。
【００２５】
以下、本発明の実施例を、図面を参照しながら説明する。なお、下記実施例で本発明が限定されるものではない。
【実施例１】
【００２６】
以下に、本発明の第１の実施例における回転ロータについて、図１〜５を用いて説明する。
図１は、本実施例における回転ロータを組み込んだ掃除機用床吸込具の一部破断斜視図である。
【００２７】
図１において、１０は、図示しない電気掃除機に連通接続される掃除機用床吸込具（以下「床吸込具１０」という）で、その外郭１１は、上ケース１２と、下面に吸い込み口１３を有する下ケース１４からなり、外周に、掃除の際に家具などへの傷付を防止するためのバンパー１５が設けられ、前部に、本実施例における回転ロータ１６を回転自在に収納すると共に吸い込み口１３と連通する回転ロータ室１７が配されている。又、床吸込具１０の後部には、延長管（図示せず）などを介して、電気掃除機（図示せず）に連通接続される接続管１８が傾動自在に取着されている。
【００２８】
２０は、下ケース１４の底面の前部、後部にそれぞれ一対ずつ設けられた走行用ローラーで、床吸込具１０を、木床などの被掃除面に置いたとき、その被掃除面と下ケース１４の底面との間に所定の隙間を確保して、電気掃除機による吸引力で、床吸込具１０の底部が被掃除面に密着して操作性が悪くなることの無いようにするものである。
【００２９】
２１は、床吸込具１０の略中央でかつ回転ロータ１６の後方に位置し、回転ロータ室１７と接続管１８とを連通する吸引口である。２２は、ベルト２３を介して回転ロータ１６を回転駆動する駆動手段となる電動機である。
【００３０】
次に、本実施例における回転ロータ１６の詳細な構成について、図２〜４を用いて説明する。図２は、回転ロータ１６の斜視図、図３は、回転ロータ１６の清掃体の斜視図、図４は、回転ロータ１６の側面図である。
【００３１】
図２〜４において、回転ロータ１６は、アルミニウムなどの金属材料からなり螺旋状に捩られたロータ３０と、ロータ３０に着脱自在に装着されると共に被掃除面の塵埃を掻き上げる清掃体３２と、ロータ３０の一端に圧入されると共にベルト２３の一端が張架されるプーリー付軸受けホルダー３３と、ロータ３０の他端に圧入される軸受けホルダー３４から構成されている。３５は、プーリー付軸受けホルダー３３及び軸受けホルダー３４のそれぞれを回転自在に支持すると共に、吸込具１０の内壁５０で保持される軸受けである。
【００３２】
清掃体３２は、図３に示すように、複数の繊維などからなるブラシ部３２ａと、ブラシ部３２ａの下端が植設又は固定された基部３２ｂから構成されている。尚、ブラシ部３２ａは、複数の繊維などに限らず、軟質材からなるブレード状のもので形成しても良い。
【００３３】
ロータ３０は、略放射状に突出すると共に、先端側側部の長手方向に清掃体３２の基部３２ｂが着脱自在に装着される溝部３１を有する一対の清掃体取着部３０ａと、同じく略放射状に突出すると共に一対の清掃体取着部３０ａ間に位置し、ロータ３０が矢印方向に回転した時に前記清掃体３２の反回転方向側を先端で受ける一対のリブ体３０ｂから構成されている。
【００３４】
本実施例では、図４に示すように、ロータ３０の清掃体取着部３０ａの先端側側部に設けた溝部３１に清掃体３２の基部３２ｂを装着することにより、清掃体３２の長手方向中心線Ｌ１と清掃体取着部３０ａの長手方向中心線Ｌ２とが直交するようになっている。
【００３５】
次に、ロータ３０の製造、加工方法についていくつか述べる。
第１の方法は、捩り押出し金型にて、ロータ３０の材料を捩りながら押出すもので、１工程で目的の捩り角度に仕上げることができる。ただ、反り、うねりが生じやすく精度が確保しにくく、また、捩り角度が大きくなるほどこの傾向が顕著になるという難点があり、捩り角度は、３６０度程度が限界で、それ以上は実用上製品にならない。
【００３６】
第２の方法は、ロータ３０の材料を金型で捩りながら押出して、一旦目的の捩り角度より小さな角度のロータ３０を作り、このロータ３０を後加工にて、目的の捩り角度まで捩って仕上げるもので、後加工が最小限に抑えられるので、断面形状の歪も少なく、精度のよいロータ３０を製造することができる。唯一の欠点は、工程が２段階になることである。
【００３７】
第３の方法は、ロータ３０の材料をまっすぐに押出して、後加工で、目的の捩り角度まで捩って仕上げるもので、１工程（直線押出し）による製品素材の精度が非常に高く、これを元に後加工で捩るため、捩りによる歪が小さく精度のよいロータ３０を製造することができる。また、後捩り加工により、同一金型でも自由にロータ３０の捩り角度を設定することができる。欠点としては、中空素材や、大径の素材は捩り加工による断面変形が生じやすく、あまり大きな捩り角度には向かない。
【００３８】
第４の方法は、同一ライン上に捩り方向に回転する可動盤等の設備を設けて、金型で、ロータ３０の材料を押出しながら、同時に捩り加工も行い、目的の捩り角度に仕上げる製法で、捩り工程を別に設ける必要が無く、また、可動盤の回転速度で自由に捩り角度が設定できるというメリットがあるが、設備が複雑になるという欠点がある。
【００３９】
したがって、ロータ３０の製造にあたっては、ロータ３０の断面形状、材質、厚み、強度、捩り角度、必要な精度等を勘案し、製造方法、加工方法を適宜決定するようにすると良い。また、押出し加工によるロータ３０の代表的な製造方法を上記したが、本発明のロータ３０は特に、清掃体取着部３０ａとリブ体３０ｂが放射状に突出して形成されているため、押出しバランスも崩れ易く、押出し時にうねりを生じる場合がある。よって、製品の直進度を確保するために、押出し後に延伸加工を施してもよいものである。
【００４０】
次に、上記構成による回転ロータ３０と、それを組み込んだ床吸込具１０の、動作、作用について、図５を用いて説明する。
【００４１】
図５において、図示しない電気掃除機並びに床吸込具１０の電動機２２の運転を開始すると、回転ロータ１６が、実線矢印方向に回転する。そして、清掃体３２の先端が被掃除面に接するときに、その清掃体３２の反回転方向側が、その清掃体３２の反回転方向側に位置するリブ体３０ｂの先端で受けられるので、清掃体３２のこしが強化され、被掃除面上の塵埃を効率よく掻き上げることができる。掻き上げられた塵埃は、電気掃除機によって作用する吸引力により、床吸込具１０の底部に設けた吸い込み口１３から流入し、吸引口２１、接続管１８を経て、電気掃除機に吸引される。
【００４２】
以上のように本実施例によれば、清掃体３２のこしがリブ体３０ｂにより強化されるので、清掃体３２を径の細い繊維からなるブラシを用いても、塵埃の掻き上げ性能が劣化することがなく、被掃除面の磨き性能を向上させることができる。
【００４３】
また、清掃体取着部３０ａやリブ体３０ｂがロータ３０の表面より突出して形成されているので、掃除機用床吸込具１０内に破線矢印のように吸引される吸い込み風を効率よく受け、回転ロータ１６の回転トルクが大きくなるので、その分電動機２２を小型化することができ、さらに清掃体取着部３０ａやリブ体３０ｂの回転によって、団扇で風を扇ぐような作用が働き、清掃体３２で掻き出された塵埃が、効率よく巻き上げられることになり、電気掃除機の吸引力が多少低下しても、十分な掃除性能を発揮することができるものである。
【００４４】
さらに、清掃体３２の基部３２ｂが清掃体取着部３０ａの先端側側部に装着されているので、すなわち、清掃体３２の長手方向の中心線Ｌ１と、清掃体取着部３０ａの長手方向の中心線Ｌ２が略直交することにより、清掃体３２の装着側端部とロータ３０の中心との距離Ｇ１の確保が容易になるので、その分ロータ３０の外径寸法を小さくしても、回転ロータ１６としての必要な強度を確保できるので、掃除機用床吸込具１０の小型化を図ることができる。
【００４５】
また、ロータ３０を金属材料で形成することにより、ロータ３０に、清掃体取着部３０ａやリブ体３０ｂが突出されて形成されても、十分な強度が確保され、回転ロータ１６が掃除機用床吸込具１０に組み込まれて高速で回転しても、何ら支障なく、使用できる。
【００４６】
また、回転ロータ１６を回転駆動する駆動手段として、電動機２２を用いることにより絨毯面や多少の凹凸がある被掃除面であっても、回転ロータ１６の回転が著しく低下することなく確実に、掃除を行うことができる。
【００４７】
なお、図６に示すように、清掃体取着部３０ａとリブ体３０ｂの断面を、吸い込み風を受ける側が窪むように湾曲させると、吸い込み風をより効率よく受けるようになり、ロータ３０の回転トルクがより大きくなり、掃除性能を大幅に向上させることが出来る。なお、断面を湾曲させるのは、清掃体取着部３０ａとリブ体３０ｂのいずれか一方でも良い。
【００４８】
また、上記実施例では、回転ロータ１６を駆動する駆動手段として、電動機２２を用いたが、電動機２２を用いる代わりに、回転ロータ１６を吸引風で回転させるようにしても良い。具体的には、特に図示しないが、床吸込具１０の外郭１１の一部に、外部と回転ロータ室１７とを連通する孔を設け、その孔から流入する高速の空気を、ロータ３０の一部に設けた羽根車（図示せず）あるいは、清掃体取着部３０ａとリブ体３０ｂに直接当てて、回転トルクを発生させて、回転ロータ１６を回転させるようにしても良い。
【００４９】
なお、上記実施例では、ロータ３０に、一対の清掃体取着部３０ａと一対のリブ体３０ｂを交互に設けたが、図７に示すように、清掃体取着部３０ａとリブ体３０ｂのそれぞれ２対を交互に設けるようにすれば、吸引風による回転トルクがより強くなると共に、回転ロータ１６の回転がよりスムーズになり、清掃性能をより向上させることができる。
【実施例２】
【００５０】
図８は、本発明の第２の実施例における回転ロータの断面図である。尚、上記第１の実施例と同一部分について、同一符号を付してその説明を省略する。
【００５１】
図８において、本実施例における回転ロータ３８は、アルミニウムなどの金属材料からなり螺旋状に捩られると共に断面略Ｓ字状のロータ３８ａと、前記ロータ３８ａの端部にかつ長手方向に形成された清掃体取着部３８ｂと、清掃体取着部３８ｂに一端が装着されると共に被掃除面の塵埃を掻き上げる清掃体３２とから構成され、前記ロータ３８ａが回転した時に前記清掃体３２の反回転方向側を受ける突出部３８ｃを、前記清掃体取着部３８ｂと前記ロータ３８ａの回転中心Ｃとの間に配したもので、他の構成は、上記第１の実施例と同一である。
【００５２】
以上のように本実施例における回転ロータ３８によれば、回転ロータ３８が矢印方向に回転すると、清掃体３２の反回転方向側が２点鎖線で示されたように突出部３８ｃで受けられるので、清掃体３２のこしが強くなり、被掃除面の磨き効果及び清掃効果が向上する。
【００５３】
また、ロータ３８ａの断面が略Ｓ状に形成されているので、掃除機用床吸込具１０内に吸引される吸い込み風が効率よく、しかも無駄なくロータ３８ａで受けられ、回転ロータ３８の回転トルクが大きくなると共に、ロータ３８ａの回転によって塵埃が巻き上げられるので、掃除性能が向上する。
【００５４】
さらに、清掃体３２の一端である基部３２ｂを、略Ｓ字状のロータ３８ａの端部に設けた清掃体取着部３８ｂに装着するようにしているので、清掃体３２の基部３２ｂとロータ３８ａの回転中心Ｃとの距離の確保が容易になるので、その分ロータ３８ａの外径寸法を小さくすることができ、掃除機用床吸込具１０の小型化を図ることができる。
【００５５】
また、特に図示しないが、清掃体３２の毛足が非常に長い場合は、回転ロータ３８が図８に示した矢印と逆方向に回転しても、清掃体３２の反回転方向側を突出部３８ｃで受けることができるので、清掃体３２のこしが強くなり、被掃除面の磨き効果及び清掃効果が向上する。
【実施例３】
【００５６】
図９は、本発明の第３の実施例における電気掃除機の全体構成を示す図である。尚、上記第１の実施例と同一部分について、同一符号を付してその説明を省略する。
【００５７】
図９において、本実施例における電気掃除機４０は、前部に塵埃を捕集する集塵室４１と、後部に電動送風機４２を内蔵した電動送風機室４３をそれぞれ備えた掃除機本体４４と、前記集塵室４１に連通するように一端が掃除機本体４４に接続されるホース４５と、ホース４５の他端に設けられたハンドルパイプ４６に一端が着脱自在に接続される延長管４７とを備え、前記延長管４７の他端に、上記第１の実施例における床吸込具１０が接続される。ハンドルパイプ４６には、掃除機本体４４の運転を操作する本体スイッチ４６ａと、床吸込具１０に内蔵された電動機２２の運転を操作する吸込具スイッチ４６ｂが設けられている。
【００５８】
上記のように構成された電気掃除機の動作、作用は、以下の通りである。
掃除機本体４４内に収納された電源コード（図示せず）を引き出し、そのプラグ（図示せず）を室内のコンセント（図示せず）に差し込んで、ハンドルパイプ４６に設けた本体スイッチ４６ａ、吸込具スイッチ４６ｂを操作すると、電動送風機４２及び床吸込具１０内の電動機２２の運転が開始し、それに伴い、吸込具１０の底部に設けた吸い込み口１３から、清掃体３２で掻き上げられた被掃除面上の塵埃が、外気と共に吸引され、延長管４７、ハンドルパイプ４６、ホース４５を経て集塵室４１に至り、そこで吸引風に含まれた塵埃が捕集され、きれいになった空気は、掃除機本体４４の後部に設けた排気口（図示せず）から排気される。
【００５９】
本実施例によれば、床吸込具１０に組み込まれた回転ロータ１６の清掃体３２のこしがリブ体３０により強化されるので、清掃体３２を径の細い繊維からなるブラシを用いても、塵埃の掻き上げ性能に優れ、また、細い繊維のブラシを用いることで、磨き効果も向上する。
【００６０】
また、清掃体取着部３０ａやリブ体３０ｂがロータ３０の表面より突出して形成されているので、掃除機用床吸込具１０内に吸引される吸い込み風を効率よく受け、回転ロータ１６の回転トルクが大きくなるので、その分電動機２２を小型化することができ、さらに清掃体取着部３０ａやリブ体３０ｂの回転によって、団扇で風を扇ぐような作用が働き、それにより清掃体３２で掻き出された塵埃が、効率よく巻き上げられることになり、電動送風機４２の吸引力が多少低下しても、十分な掃除性能を発揮することができるものである。
【００６１】
さらに、清掃体３２の基部３２ｂが清掃体取着部３０ａの先端側側部に装着されているので、清掃体３２の装着側端部とロータ３０の中心との距離Ｇ１の確保が容易になるので、その分ロータ３０の外径寸法を小さくしても、回転ロータ１６としての必要な強度を確保できるので、掃除機用床吸込具１０をより小型化することが出来、使用勝手の良い電気掃除機を提供することが出来る。
【産業上の利用可能性】
【００６２】
以上のように、本発明にかかる回転ロータ、掃除機用床吸込具及び電気掃除機は、小型で、掃除性能に優れ、使用勝手が良いもので、各種電気掃除機に使うことができる。
【図面の簡単な説明】
【００６３】
【図１】本発明の第１の実施例における回転ロータを組み込んだ掃除機用床吸込具の一部破断斜視図
【図２】同回転ロータの斜視図
【図３】同回転ロータの清掃体の斜視図
【図４】同回転ロータの側面図
【図５】同掃除機用床吸込具の断面図
【図６】他の例を示す掃除機用床吸込具の断面図
【図７】他の例を示す回転ロータの側面図
【図８】本発明の第２の実施例における回転ロータの断面図
【図９】本発明の第３の実施例に電気掃除機の全体構成を示す図
【図１０】従来の回転ロータを収納した掃除機用床吸込具の上カバーを外した状態の斜視図
【図１１】（ａ）同回転ロータの側面図、（ｂ）従来の回転ロータの他の例を示す断面図
【符号の説明】
【００６４】
１０    掃除機用床吸込具（床吸込具）  
１３    吸い込み口
１６、３８  回転ロータ
２２    駆動手段
３０    ロータ
３０ａ  清掃体取着部
３０ｂ  リブ体
３２    清掃体
３２ａ  ブラシ部
３２ｂ  基部
４０    電気掃除機
４１    集塵室
４２    電動送風機
４４    掃除機本体
【図１】
2007202673.tif 000003
【図２】
2007202673.tif 000004
【図３】
2007202673.tif 000005
【図４】
2007202673.tif 000006
【図５】
2007202673.tif 000007
【図６】
2007202673.tif 000008
【図７】
2007202673.tif 000009
【図８】
2007202673.tif 000010
【図９】
2007202673.tif 000011
【図１０】
2007202673.tif 000012
【図１１】
2007202673.tif 000013